(57)【要約】【課題】ネットワーク集線装置の省電力化を図ることである。【解決手段】ネットワーク集線装置１００において、複数のポート１０２，１０４，１０６，１０８のうち、第１のグループ１０に属する少なくとも１つのポート１０２，１０４，１０６と第１のグループ１０に対応する第２のグループ１２に属する少なくとも１つのポート１０８とのリンク状態を制御する方法であって、第１のグループ１０及び第２のグループ１２に属する各ポートが、リンクアップ又はリンクダウンであることを検出するステップと、検出するステップの結果、第１のグループ１０及び第２のグループ１２の一方のグループの少なくとも１つのポートがリンクアップであり、かつ、第１のグループ１０及び第２のグループ１２の他方のグループの全ポートがリンクダウンである場合に、一方のグループのリンクアップであるポートをリンク不可に設定するステップとを含む。
2011004718.tif 000002
【特許請求の範囲】
【請求項１】
ネットワーク上でネットワーク機器に接続するための複数のポートを備えるネットワーク集線装置において、前記複数のポートのうち、第１のグループに属する少なくとも１つのポートと当該第１のグループに対応する第２のグループに属する少なくとも１つのポートとのリンク状態を制御する方法であって、
前記第１のグループ及び前記第２のグループに属する各ポートが、リンクアップ又はリンクダウンであることを検出するステップと、
前記検出するステップの結果、前記第１のグループ及び前記第２のグループの一方のグループの少なくとも１つのポートがリンクアップであり、かつ、前記第１のグループ及び前記第２のグループの他方のグループの全ポートがリンクダウンである場合に、前記一方のグループのリンクアップであるポートをリンク不可に設定するステップと、
を含む、ネットワーク集線装置の制御方法。
【請求項２】
前記検出するステップの前に、前記第１のグループ及び前記第２のグループが設定されていることを確認するステップをさらに含む、請求項１記載のネットワーク集線装置の制御方法。
【請求項３】
前記設定するステップは、前記一方のグループの全ポートをリンク不可に設定することを含む、請求項１又は２に記載のネットワーク集線装置の制御方法。
【請求項４】
前記設定するステップの後に、
前記他方のグループの少なくとも１つのポートがリンクダウンからリンクアップになることを検出した場合に、前記設定するステップにおいて行われた前記一方のグループのリンク不可の設定を解除するステップをさらに含む、請求項１から３のいずれかに記載のネットワーク集線装置の制御方法。
【請求項５】
ネットワーク上でネットワーク機器に接続するための複数のポートを備え、前記複数のポートのうち、第１のグループに属する少なくとも１つのポートと当該第１のグループに対応する第２のグループに属する少なくとも１つのポートとのリンク状態を制御するネットワーク集線装置であって、
前記第１のグループ及び前記第２のグループに属する各ポートが、リンクアップ又はリンクダウンであることを検出する検出部と、
前記検出部による検出の結果、前記第１のグループ及び前記第２のグループの一方のグループの少なくとも１つのポートがリンクアップであり、かつ、前記第１のグループ及び前記第２のグループの他方のグループの全ポートがリンクダウンである場合に、前記一方のグループのリンクアップであるポートをリンク不可に設定する設定部と、
を備える、ネットワーク集線装置。
【請求項６】
前記第１のグループ及び前記第２のグループが設定されていることを確認するグループ設定確認部をさらに備える、請求項５記載のネットワーク集線装置。
【請求項７】
前記設定部は、前記一方のグループの全ポートをリンク不可に設定する、請求項５又は６記載のネットワーク集線装置。
【請求項８】
前記設定部は、前記他方のグループの少なくとも１つのポートがリンクダウンからリンクアップになることを前記検出部が検出した場合に、前記一方のグループのリンク不可の設定を解除する、請求項５から７のいずれかに記載のネットワーク集線装置。
【発明の詳細な説明】
【技術分野】
【０００１】
本発明は、ネットワーク集線装置及びその制御方法に関する。特に、本発明は、簡易な構成で省電力化を図ることができる、ネットワーク集線装置及びその制御方法に関する。
【背景技術】
【０００２】
従来のスイッチングハブにおいては、第１ポート及び第２のポートのいずれか一方がリンクアップからリンクダウンになった場合、第１のポートと第２のポートとの間で通信されないにもかかわらず、他方のポートがリンクアップのままとなっているため、その分無駄に電力を消費することがあった。かかる課題を解決する技術として、例えば特開２００７−３２８６７１号公報のように、リンクダウン等により通信されていない期間において、ネットワーク機器からの受信データが存在しないときにクロック信号を生成しないようにクロック制御回路の動作を停止する技術が知られている。しかしながら、かかる技術ではポートごとにクロックを制御する必要があるため、装置及び処理が複雑になる場合があり得る。
【先行技術文献】
【特許文献】
【０００３】
【特許文献１】特開２００７−３２８６７１号公報
【発明の概要】
【発明が解決しようとする課題】
【０００４】
そこで、本発明は、上記の課題を解決することのできるネットワーク集線装置及びその制御方法を提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の一態様に係るネットワーク集線装置の制御方法は、ネットワーク上でネットワーク機器に接続するための複数のポートを備えるネットワーク集線装置において、前記複数のポートのうち、第１のグループに属する少なくとも１つのポートと当該第１のグループに対応する第２のグループに属する少なくとも１つのポートとのリンク状態を制御する方法であって、前記第１のグループ及び前記第２のグループに属する各ポートが、リンクアップ又はリンクダウンであることを検出するステップと、前記検出するステップの結果、前記第１のグループ及び前記第２のグループの一方のグループの少なくとも１つのポートがリンクアップであり、かつ、前記第１のグループ及び前記第２のグループの他方のグループの全ポートがリンクダウンである場合に、前記一方のグループのリンクアップであるポートをリンク不可に設定するステップとを含む。【０００６】
上記態様によれば、第１のグループ及び第２のグループの各ポートがリンクアップ又はリンクダウンであるかを検出し、通信に使用されないにもかかわらずリンクアップになっているポートを、リンク不可に設定するので、ポートが無駄にリンクアップのままになっていることを回避することができる。したがって、リンクアップのための電力消費を抑えることができ、ネットワーク集線装置の省電力化を図ることができる。また、ポートのリンク不可の設定は、第１のグループ及び第２のグループに属する各ポートのリンク状態に基づいて行われるので、簡易な構成で省電力化を図ることができる。【０００７】
上記方法において、前記検出するステップの前に、前記第１のグループ及び前記第２のグループが設定されていることを確認するステップをさらに含んでもよい。【０００８】
上記方法において、前記設定するステップは、前記一方のグループの全ポートをリンク不可に設定することを含んでもよい。【０００９】
上記方法において、前記設定するステップの後に、前記他方のグループの少なくとも１つのポートがリンクダウンからリンクアップになることを検出した場合に、前記設定するステップにおいて行われた前記一方のグループのリンク不可の設定を解除するステップをさらに含んでもよい。【００１０】
本発明の一態様に係るネットワーク集線装置は、ネットワーク上でネットワーク機器に接続するための複数のポートを備え、前記複数のポートのうち、第１のグループに属する少なくとも１つのポートと当該第１のグループに対応する第２のグループに属する少なくとも１つのポートとのリンク状態を制御するネットワーク集線装置であって、前記第１のグループ及び前記第２のグループに属する各ポートが、リンクアップ又はリンクダウンであることを検出する検出部と、前記検出部による検出の結果、前記第１のグループ及び前記第２のグループの一方のグループの少なくとも１つのポートがリンクアップであり、かつ、前記第１のグループ及び前記第２のグループの他方のグループの全ポートがリンクダウンである場合に、前記一方のグループのリンクアップであるポートをリンク不可に設定する設定部とを備える。【００１１】
上記態様によれば、第１のグループ及び第２のグループの各ポートがリンクアップ又はリンクダウンであるかを検出し、通信に使用されないにもかかわらずリンクアップになっているポートを、リンク不可に設定するので、ポートが無駄にリンクアップのままになっていることを回避することができる。したがって、リンクアップのための電力消費を抑えることができ、ネットワーク集線装置の省電力化を図ることができる。また、ポートのリンク不可の設定は、第１のグループ及び第２のグループに属する各ポートのリンク状態に基づいて行われるので、簡易な構成で省電力化を図ることができる。【００１２】
上記装置において、前記第１のグループ及び前記第２のグループが設定されていることを確認するグループ設定確認部をさらに備えてもよい。【００１３】
上記装置において、前記設定部は、前記一方のグループの全ポートをリンク不可に設定してもよい。【００１４】
上記装置において、前記設定部は、前記他方のグループの少なくとも１つのポートがリンクダウンからリンクアップになることを前記検出部が検出した場合に、前記一方のグループのリンク不可の設定を解除してもよい。
【図面の簡単な説明】
【００１５】
【図１】本発明の一実施形態に係るネットワーク集線装置を含むネットワークシステムを示す図である。
【図２】本発明の一実施形態に係るネットワーク集線装置の構成を示す図である。
【図３】本発明の一実施形態に係るネットワーク集線装置の制御方法のフローを示す図である。
【図４】本発明の一実施形態に係るネットワーク集線装置の制御方法のフローを示す図である。
【図５】本発明の一実施形態に係るネットワーク集線装置の他の適用例を示す図である。
【発明を実施するための形態】
【００１６】
以下、図面を参照しつつ、発明の実施形態を通じて本発明を説明するが、以下の実施形態は特許請求の範囲に係る発明を限定するものではなく、また、実施形態の中で説明されている特徴の組み合わせのすべてが発明の解決手段に必須であるとは限らない。
【００１７】
図１は、本発明の一実施形態に係るネットワーク集線装置を含むネットワークシステムを示す図である。このネットワークシステムは、ネットワーク２００上で複数のネットワーク機器を接続するためのネットワーク集線装置１００，１００ａを含む。ネットワーク集線装置１００，１００ａは、典型的には、スイッチングハブ（レイヤー２スイッチとも呼ばれる。）である。
【００１８】
ネットワーク集線装置１００は、ネットワーク２００上でネットワーク機器に接続するための複数のポート１０２，１０４，１０６，１０８を備える。複数のポートは、第１のグループ１０に属するポート１０２，１０４，１０６と、第２のグループ１２に属するポート１０８とを含む。なお、第１及び第２のグループ１０，１２の詳細については後述する。
【００１９】
図１に示す例では、ネットワーク集線装置１００の下位のポート１０２，１０４，１０６にネットワーク機器３００，３０２，３０４が接続され、ネットワーク集線装置１００の上位のポート１０８に他のネットワーク集線装置１００ａの下位のポート１０２ａが接続されている。また、ネットワーク集線装置１００ａの下位のポート１０４ａにネットワーク機器３０６が接続され、ネットワーク集線装置１００ａの上位のポート１０８ａにネットワーク２００が接続されている。
【００２０】
ネットワーク機器３００〜３０６は、例えば汎用のコンピュータ端末、ネットワークプリンタ、スイッチングハブ等が挙げられ、ネットワークを介して通信を行う機器であればその構成は限定されるものではない。
【００２１】
図２は、本実施形態に係るネットワーク集線装置の構成を示す図である。図２に示すように、ネットワーク集線装置１００は、スイッチ回路１１０、ＰＨＹ回路及びコネクタ（ＳＦＰ，ＲＪ４５）のほか、ネットワーク集線装置１００のポートのリンク状態、すなわちリンクアップ又はリンクダウンであるかを制御する制御部１２０を含む。スイッチ回路１１０、ＰＨＹ回路及び制御部１２０は、相互にデータを送受信できるように共通の制御バスに接続されている。また、ネットワーク集線装置１００は、制御部１２０を制御するための各種情報を格納する記憶部１３０をさらに含む。記憶部１３０は制御部１２０にデータ送受信できるように接続されている。なお、スイッチ回路１１０及びＰＨＹ回路は１チップ化されてもよい。
【００２２】
ネットワーク集線装置１００は、例えば制御部１２０のＣＰＵが、記憶部１３０のＲＯＭ等に記憶された所定のプログラム（本実施形態に係るネットワーク集線装置の制御方法を規定したプログラム）を実行することにより、ネットワーク集線装置１００を後述の各種の機能ブロックとして実現し、又はネットワーク集線装置１００に各種のステップを実行させることができる。なお、本実施形態に係るネットワーク集線装置の制御方法を規定したプログラムがコンピュータに働きかけてＣＰＵに行わせる処理は、それぞれ本実施形態の装置又は方法における、対応する部材の機能及び動作と同一である。
【００２３】
図２に示すように、制御部１２０は、グループ設定確認部１２２と、第１のグループ１０の各ポート及び第２のグループの各ポートのリンク状態を検出する検出部１２４と、検出部１２４の検出結果に基づいてポートのリンク状態を設定する設定部１２６とを含む。制御部１２０は、図２の記憶部１３０に格納されている情報を読み出し又は記憶部１３０へ情報を書き込むことができるように構成されている。
【００２４】
グループ設定確認部１２２は、ネットワーク集線装置１００の複数のポートにおいて、第１のグループ１０及び第２のグループ１２が設定されていることを確認する。具体的には、グループ設定確認部１２２は、ネットワーク集線装置１００の複数のポートにおいて、第１のグループ１０に属する少なくとも１つのポートと、第２のグループ１２に属する少なくとも１つのポートとが設定されている場合、「設定あり」と判定し、そうでない場合、「設定なし」と判定する。
【００２５】
第１のグループ１０と第２のグループ１２とは、ポート同士が相互に通信できるように対応している。各グループには、ネットワーク集線装置１００の任意のポートを設定することができる。例えば、図１に示すように、ネットワーク集線装置１００の下位のポート１０２，１０４，１０６は、第１のグループ１０として設定され、また、ネットワーク集線装置１００の上位のポート１０８は、第２のグループ１２として設定されうる。また、ネットワーク集線装置１００の一部のポート（図１ではポート１０２，１０４，１０６）が第１のグループ１０として設定され、残りの全てのポート（図１ではポート１０８）が第２のグループとして設定されてもよく、あるいは、ネットワーク集線装置１００の一部のポートが第１のグループ１０として設定され、残りのポートのさらに一部のポートが第２のグループ１２として設定されてもよい。後者の場合においては、第１のグループ１０と第２のグループ１２とのいずれにも属しないポートがあることになる。また、第１のグループ１０に属するポートと第２のグループ１２に属するポートは固定であってもよいし、動的に設定変更が可能であってもよい。また、第１のグループ１０及び第２のグループ１２の一方のグループのポートが１つで、他方のグループのポートが複数であってもよい（図１参照）。あるいは、第１のグループ１０のポートが複数で、第２のグループ１２のポートが複数であってもよい。
【００２６】
検出部１２４は、第１のグループ１０に属する各ポート１０２，１０４，１０６のリンク状態を検出し、また、第２のグループ１２に属する各ポート１０８のリンク状態を検出する。これらの各ポートの通信状態は、スイッチ回路１１０及び／又はＰＨＹ回路から制御バスを介して検出することができる。
【００２７】
第１のグループ１０の少なくとも１つのポートがリンクアップであり、かつ、第２のグループ１２の少なくとも１つのポートがリンクアップである場合、リンクアップのポート同士で通信が行われる。他方、第１のグループ１０及び第２のグループ１２の少なくとも一方のグループの全ポートがリンクダウン（ケーブルの脱落などの障害がある状態を含む）である場合、通信を行うことはできない。
【００２８】
設定部１２６は、検出部１２４に接続され、検出部１２４の検出の結果を取得するように構成されている。そして、設定部１２６は、第１のグループ１０及び第２のグループ１２の一方のグループの少なくとも１つのポートがリンクアップであり、かつ、第１のグループ１０及び第２のグループ１２の他方のグループの全ポートがリンクダウンである場合に、一方のグループのリンクアップであるポートをリンク不可（リンク不能である状態を含む）に設定する。具体的には、設定部１２６は、リンクアップであるポートをリンク不可に設定するようにスイッチ回路１１０及び／又はＰＨＹ回路に命令を送る。また、リンク不可は、ＰＨＹ回路及びスイッチ１１０の電源オフによって行われてもよいし、ＰＨＹ回路の電源オフ又はリセット（ＰＨＹ回路がポートに対応する制御ブロックを複数有する場合には、少なくとも１つの制御ブロックを電源オフ又はリセットさせることを含む）によって行われてもよい。あるいは、スイッチ１１０がリンクアップを妨げるような信号を出力する又はそのような信号をＰＨＹ回路に出力させることによって行われてもよい。また、リンクアップであるポートが属するグループの全ポートをリンク不可に設定してもよい。
【００２９】
また、設定部１２６は、検出部１２４の検出の結果に基づいて、ポートのリンク不可の設定を解除する機能をさらに含む。例えば、設定部１２６が、第１のグループ１０の各ポート１０２，１０４，１０６をリンク不可に設定した場合、検出部１２４が第２のグループ１２のポート１０８がリンクアップになることを検出すると、当該検出の結果を設定部１２６が取得し、設定部１２６は各ポート１０２，１０４，１０６のリンク不可の設定を解除する。
【００３０】
以上のとおり、本実施形態に係るネットワーク集線装置によれば、第１のグループ及び第２のグループの各ポートがリンクアップ又はリンクダウンであるかを検出し、通信に使用されないにもかかわらずリンクアップになっているポートを、リンク不可に設定するので、ポートが無駄にリンクアップのままになっていることを回避することができる。したがって、リンクアップのための電力消費を抑えることができ、ネットワーク集線装置の省電力化を図ることができる。また、ポートのリンク不可の設定は、第１のグループ及び第２のグループに属する各ポートのリンク状態に基づいて行われるので、簡易な構成で省電力化を図ることができる。
【００３１】
次に、図３及び図４を参照して、本発明の一実施形態に係るネットワーク集線装置の制御方法について説明する。ここで、図３は、ネットワーク集線装置の制御方法の全体のフローを示したもので、また、図４は、図３のステップＳ１１９及びＳ１２３のサブフローを示したものである。なお、以下に説明する各ステップ（符号が付されたステップのみならず、当該符号が付されたステップの部分的なステップを含む）は処理内容に矛盾を生じない範囲で任意に順番を変更して又は並列に実行することができる。
【００３２】
まず、ネットワークシステムにおいて、本実施形態に係るネットワーク集線装置の制御方法を規定したプログラムが適用されたネットワーク集線装置の複数のポートについて、第１のグループ１０及び第２のグループ１２が設定されていることが確認される（Ｓ１０１）。第１のグループ１０及び第２のグループ１２の設定確認は、グループ設定確認部１２２によって行うことができる。グループ設定確認の結果、「設定あり」と判定された場合には次のステップに進み、「設定なし」と判定された場合にはステップＳ１０１に戻る（Ｓ１０３）。
【００３３】
次に、ネットワーク集線装置１００において、第１のグループ１０に属するポート及び第２のグループ１２に属するポートのリンク状態が検出される（Ｓ１１１）。すなわち、第１のグループ１０に属する全ポート及び第２のグループ１２に属する全ポートについて、リンクアップ又はリンクダウンであるかが検出される。かかるリンク状態検出は検出部１２４によって行うことができる。
【００３４】
次に、第１のグループ１０のポートのリンク状態が検出される（Ｓ１１３）。この結果、少なくとも１ポート以上がリンクアップ（ＵＰ）であればステップＳ１１５に進み、他方、全ポートがリンクダウン（ＤＯＷＮ）であればステップＳ１１７に進む。
【００３５】
次に、ステップＳ１１５において、第２のグループ１２のポート１０８のリンク状態が検出された結果、第２のグループ１２の少なくとも１ポート以上がリンクアップ（ＵＰ）である場合、処理は、グループの設定確認のステップ（Ｓ１０１）に戻る。すなわち、第１のグループ１０のリンクアップのポートと、第２のグループ１２のリンクアップのポートとで正常に通信が行われるため、リンク不可の設定がされる必要がない。
【００３６】
他方、ステップＳ１１５において、第２のグループ１２のポートのリンク状態が検出され結果、第２のグループ１２の全ポートがリンクダウン（ＤＯＷＮ）である場合、第１のグループ１０のリンクアップになっているポートがリンク不可に設定される（Ｓ１１９）。すなわち、通信に使用されないにもかかわらず、第１のグループ１０においてリンクアップになっているポートがあるため、当該ポートがリンク不可に設定される。なお、かかるリンク不可の設定は、設定部１２６によって行うことができる。
【００３７】
また、ステップＳ１１７において、第２のグループ１２のポートのリンク状態が検出された結果、第２のグループ１２の少なくとも１ポート以上がリンクアップ（ＵＰ）である場合、第２のグループ１２のリンクアップになっているポートがリンク不可に設定される（Ｓ１２３）。すなわち、通信に使用されないにもかかわらず、第２のグループ１２においてリンクアップになっているポートがあるため、当該ポートがリンク不可に設定される。なお、かかるリンク不可の設定は、設定部１２６によって行うことができる。
【００３８】
他方、ステップＳ１１７において、第２のグループ１２のポートのリンク状態が検出された結果、第２のグループ１２の全ポートがリンクダウン（ＤＯＷＮ）である場合、処理は、グループの設定確認のステップ（Ｓ１０１）に戻る。すなわち、第１のグループ１０及び第２のグループ１２の全ポートがリンクダウンであるため、リンク不可の設定がされる必要がない。
【００３９】
次に、図４を参照して、ポートをリンク不可に設定するステップ（Ｓ１１９及びＳ１２３）について、より具体的に説明する。
【００４０】
まず、設定部１２６は、リンクアップのポートを有するグループ（Ｘ）において、当該リンクアップのポートをリンク不可に設定する（Ｓ２０１）。このとき、リンクアップであるポートを有するグループ（Ｘ）の全ポートがリンク不可に設定されてもよい（Ｓ２０３）。
【００４１】
次に、設定部１２６は、第１のグループ１０及び第２のグループ１２のうち、リンク不可に設定されたグループではない方のグループのポートのリンク状態を検出し、当該ポートにおいてリンクアップを検出するのを待つ（Ｓ２０５）。
【００４２】
具体的には、設定部１２６は、第１のグループ１０のポートをリンク不可に設定した場合（Ｓ２０７）、対応する第２のグループ１２のポートのリンク状態を検出し（２０９）、その結果、第２のグループ１２の全ポートがリンクダウン（ＤＯＷＮ）であれば、引き続き、第２のグループ１２においてリンクアップを検出するのを待ち、他方、第２のグループ１２の少なくとも１ポート以上がリンクアップ（ＵＰ）であれば、第１のグループ１０のポートのリンク不可の設定を解除する（Ｓ２１３）。
【００４３】
また、設定部１２６は、第２のグループ１２のポートをリンク不可に設定した場合（Ｓ２０７）、対応する第１のグループ１０のポートのリンク状態を検出し（Ｓ２１１）、その結果、第１のグループ１２の全ポートがリンクダウン（ＤＯＷＮ）であれば、引き続き、第１のグループ１０においてリンクアップを検出するのを待ち、他方、第１のグループ１０の少なくとも１ポート以上がリンクアップ（ＵＰ）であれば、第２のグループ１２のポートのリンク不可の設定を解除する（Ｓ２１３）。
【００４４】
以上のとおり、本実施形態に係るネットワーク集線装置の制御方法によれば、第１のグループ及び第２のグループの各ポートがリンクアップ又はリンクダウンであるかが検出され、通信に使用されないにもかかわらずリンクアップになっているポートが、リンク不可に設定されるので、ポートが無駄にリンクアップのままになっていることを回避することができる。したがって、リンクアップのための電力消費が抑えられ、ネットワーク集線装置の省電力化が図られることになる。また、ポートのリンク不可の設定は、第１のグループ及び第２のグループに属する各ポートのリンク状態に基づいて行われるので、簡易な構成で省電力化が図られる。
【００４５】
さらに、ポートのリンク不可の設定のときに、グループの全ポートがリンク不可に設定されることにより、グループ全体での電力消費が抑えられ、より一層、ネットワーク集線装置の省電力化が図られる。
【００４６】
さらに、リンク不可の設定の解除においては、リンク不可に設定したグループではない方のグループのポートのリンク状態を検出することによって行われるので、省電力化が図られつつも、簡易な構成で動作の回復が行われることになる。
【００４７】
次に、図５を参照して、本発明の一実施形態に係るネットワーク集線装置の他の適用例について説明する。このネットワークシステムは、複数のポート４０２，４０４，４０６，４０８，４１０，４１２，４１４を備えるネットワーク集線装置４００と、複数のポート４０２ａ，４０４ａを備えるネットワーク集線装置４００ａとを備える。
【００４８】
ネットワーク集線装置４００においては、ポート４０２，４０４，４０６，４０８，４１０が第１のグループ４０に属し、ポート４１２が第２のグループ４２に属するように設定されている。また、ポート４０２，４０４，４０６，４０８，４１０にネットワーク機器３１０，３１２，３１４，３１６，３１８が接続され、ポート４１２にネットワーク集線装置４００ａのポート４０４ａが接続され、また、ポート４１４にネットワーク２００が接続されている。また、ネットワーク集線装置４００ａにおいては、ポート４０２ａが第１のグループ４０ａに属し、ポート４０４ａが第２のグループ４２ａに属するように設定されている。また、ポート４０２ａに監視サーバー５００が接続され、ポート４０４ａにネットワーク集線装置４００のポート４１２が接続されている。ネットワーク集線装置４００，４００ａのその他の構成については、上記したネットワーク集線装置１００の構成を適用することができる。
【００４９】
本実施形態に係るネットワーク集線装置４００，４００ａによれば、監視サーバー５００の監視下で、ネットワーク２００において複数のネットワーク機器３１０，３１２，３１４，３１６，３１８が通信するときにおいて、これまで説明したようにシステムの省電力化が図られることに加えて、システムのセキュリティの向上が図られるという特長を有する。
【００５０】
すなわち、例えばケーブルの脱落等によってポート４０２ａがリンクダウンして、監視サーバー５００がネットワーク機器を監視できなくなっても、ネットワーク機器３１０，３１２，３１４，３１６，３１８に接続されているポート４０２，４０４，４０６，４０８，４１０がリンク不可に設定されことで、ネットワーク２００上のネットワーク機器の不正なアクセスが防止される。
【００５１】
具体的には、ネットワーク集線装置４００ａにおいて、第１のグループ４０ａのポート４０２ａがリンクダウンになると、第２のグループ４２ａのポート４０４ａがリンクアップからリンク不可に設定される。そして、ネットワーク集線装置４００において、ポート４０４ａがリンク不可に設定されたことが検出され、かかる検出に基づいて、第２のグループ４２のポート４１２が、リンクアップからリンクダウンになる。これによって、ネットワーク集線装置４００において、第１のグループ４０のリンクアップのポート４０２，４０４，４０６，４０８，４１０がリンク不可に設定され、この結果、ネットワーク機器が監視サーバー５００の監視外においてネットワーク２００にアクセスすることを回避することができる。
【００５２】
また、逆に、ネットワーク機器３１０，３１２，３１４，３１６，３１８に接続される全ポート４０２，４０４，４０６，４０８，４１０がリンクダウンになった場合、監視サーバー５００が接続されているポート４０２ａがリンク不可に設定され、監視する必要がない場合においてシステムの省電力化が図られる。
【００５３】
以上のように、本実施形態に係るネットワーク集線装置及びその制御方法によれば、システムの省電力化を図ることができることに加えて、システムのセキュリティの向上を図ることができる。
【００５４】
また、上記実施形態においては、第１のグループのリンクダウンのポートが検出されて第２のグループのポートがリンク不可に設定され、かつ、第２のグループのリンクダウンのポートが検出され第１のグループのポートがリンク不可に設定される例を説明したが、このような双方向のリンク不可の設定に限定されず、変形例として、一方向にのみリンク不可の設定が行われてもよい。
【００５５】
また、上記実施形態においては、ネットワーク集線装置に一組の第１及び第２のグループが設定される例を説明したが、これに限定されず、ネットワーク集線装置において複数組の第１及び第２のグループが設定されてもよい。この場合、ある組のグループの範囲の一部又は全部が、他の組のグループの範囲とオーバーラップするように設定されていてもよい。
【００５６】
上記発明の実施形態を通じて説明された実施例や応用例は、用途に応じて適宜に組み合わせて、又は変更若しくは改良を加えて用いることができ、本発明は上述した実施形態の記載に限定されるものではない。そのような組み合わせ又は変更若しくは改良を加えた形態も本発明の技術的範囲に含まれ得ることが、特許請求の範囲の記載から明らかである。
【符号の説明】
【００５７】
１０，４０，４０ａ・・・第１のグループ
１２，４２，４２ａ・・・第２のグループ
１００，１００ａ，４００，４００ａ・・・ネットワーク集線装置
１０２，１０２ａ，１０４，１０４ａ，１０６，１０８，１０８ａ・・・ポート
２００・・・ネットワーク
３００，３０２，３０４，３０６・・・ネットワーク機器
１２０・・・制御部
１２２・・・グループ設定確認部
１２４・・・検出部
１２６・・・設定部
【図１】
2011004718.tif 000003
【図２】
2011004718.tif 000004
【図３】
2011004718.tif 000005
【図４】
2011004718.tif 000006
【図５】
2011004718.tif 000007
【国際調査報告】
2011004718.tif 000008
2011004718.tif 000009